(57)【要約】      （修正有）【課題】発熱材を使用せず、人体や動物を安全、容易に保温するのみならず、緩衝材、吸湿材、保護材、安定材としても多方面に使用することができ、簡易に製造でき且つ繰り返し使える耐久性を有する簡易な保温シートを安価に提供する。【解決手段】柔軟性と適度な強靱性を有する薄膜基材１の少なくとも一方の表面に、酸素遮断雰囲気下で高温焼成された植物由来の炭を配合成分とする遠赤外線物質微粉末を含有させてなる塗膜層を塗装あるいは印刷手段によって固着形成した保温シートであって、塗膜層は遠赤外線物質微粉末を含有する凸部２、２’と隣接する凸部同士の間に形成された非塗膜層表面の凹部３、３’とで形成され、薄膜基材は粘着剤層４あるいは接着剤層を介して、柔軟性及び弾力性を有し多数の微細気孔を有する多孔質素材５の少なくとも一方の表面に積層形成されている。【選択図】図４
0003211194.tif 000002
【実用新案登録請求の範囲】
【請求項１】
柔軟性と適度な強靱性を有する薄膜基材の少なくとも一方の表面に、酸素遮断雰囲気下で高温焼成された植物由来の炭を配合成分とする遠赤外線物質微粉末を含有させてなる塗膜層を塗装あるいは印刷手段によって固着形成した保温シートであって、該塗膜層は該遠赤外線物質微粉末を含有する凸部と隣接する凸部同士の間に形成された非塗膜層表面の凹部とで形成されてなることを特徴とする保温シート。
【請求項２】
前記遠赤外線物質微粉末を含有させてなる塗膜層を固着形成した前記薄膜基材が粘着剤層あるいは接着剤層を介して、柔軟性及び弾力性を有し多数の微細気孔を有する多孔質素材の少なくとも一方の表面に積層形成されてなることを特徴とする請求項１記載の保温シート。
【考案の詳細な説明】
【考案の詳細な説明】
【技術分野】
【０００１】  本考案は発熱材を使用せず人体や動物を保温することができる保温材に関するものであり、前記保温材として単独使用するのみならず、緩衝材、吸湿材、保護材、安定材としての機能をも付加させた保温具に関するものである。
【背景技術】
【０００２】  従来、遠赤外線放射物質をまぶした天然繊維等保温材を網状外被で挟みインソールとして履物等に装着し人体の保温に応用する技術は周知である。（例えば［特許文献１］参照）。また遠赤外線物質を含む薄膜、厚層二種類の断熱材及び粘着材を人体に粘着させる保温具の事例（例えば［特許文献２］）、更には使い捨てカイロ等の発熱体を遠赤外線放射セラミックス微粉末含有繊維からなる不織布で被覆する技術（例えば［特許文献３］）は広く知られている。しかしながら［特許文献１］の事例では綿に遠赤外線物質をまぶすとされているため歩行時の衝撃により遠赤外線物質が物理的に剥離脱落する恐れあり、保温機能の安定性が必ずしも担保されないという問題点を有する。また［特許文献２］の事例では人体に複層の断熱材を接着させる温熱シートであって用途は限定されており且つ粘着材はその機能が劣化しやすく製品全体を使い捨てる可能性が高いという問題点を有し製造費用の割には効果が疑問視されるものである。更に［特許文献３］の事例では使い捨てカイロ等発熱体を外覆する不織布繊維に遠赤外線放射セラミックス微粉末を含有させる構成であるが通常、使い捨てカイロ用不織布繊維の厚さは約０．２ｍｍ程度で繊維体積分率は約１０％程度であり、含有するセラミックス量は極微量になり発熱体熱量に比して遠赤外線化率は極めて少量にならざるを得ないという問題点を有する。
【先行技術文献】
【特許文献】
【０００３】
【特許文献１】実用新案登録３０１７４８５号公報
【特許文献２】公開実用新案平７−３７１２５号公報
【特許文献３】公開実用新案昭６３−１８２７６１号公報
【考案の概要】
【考案が解決しようとする課題】
【０００４】  本考案の目的はこのような難点を解消するものであり、すなわち酸化剤や燃料等の発熱材を使用する事なく本品を対象物に接触させることにより保温効果が実現されまた劣化し難く使い捨てることがなく繰り返し長期間使用できまた管理維持に特別の手間や費用を要しないものであり対象物の形状に即して変形接触でき適度な弾力性また衝撃吸収性を持たせることにより本品を使用すべき対象を人体、動物等の保温に限定する事なく緩衝材、安定材等として広範囲に使用することができるもので安全かつ簡易であり安価でありながら保温効果の確実な保温具を提供することにある。
【課題を解決するための手段】
【０００５】  請求項１に記載の考案によれば、柔軟性と適度の強靱性をもつ薄膜基材の少なくとも一方の表面に酸素を遮断して高温で焼成して得られた植物系炭の微細粉末を配合した塗料あるいは印刷インキを塗装あるいは印刷の方法で固着して遠赤外線放射物質含有の塗膜層を形成している。さらに前記塗膜層の平面模様は、前記薄膜基材表面に均一一様に塗膜層を作るのではなく縞模様、格子模様、点模様等、遠赤外線物質含有の凸状塗膜部分と凹状の非塗膜部分が隣接してなるように形成されていることにより課題を解決している。【０００６】  請求項２に記載の考案によれば、前記遠赤外線物質を含有する塗膜層が固着形成された薄膜基材は単層使用するのみならず、柔軟性と弾力性を有し多数の微細気泡を有する多孔質素材の少なくとも一方の表面に、接着層あるいは粘着層を介して積層形成されている。前記多孔質素材は天然皮革のみならず人工皮革、あるいはＥＶＡ等樹脂発泡素材を使用することにより課題を解決している。【０００７】  本考案によれば、遠赤外線放射物質含有の塗膜層を形成し得られた該薄膜基材が保温シートであるが前記薄膜素材は合成繊維、和紙、ポリエステル系不織布等が想定される。また遠赤外線物質は植物由来の素材を酸素を遮断した状況下で摂氏６５０度乃至摂氏８００度で焼成するのが望ましく、得られた炭材を平均１０μ程度に微粉末化し印刷インキあるいは塗料に重量比１０％程度混入した紫外線硬化形ＵＶ印刷インキあるいは塗料をもって前記薄膜基材上に塗膜層を固着形成するのが望ましい。さらに前記塗膜層の平面模様は、前記薄膜基材表面に均一一様に塗膜層を作るのではなく縞模様、格子模様、点模様等、遠赤外線物質含有の凸状塗膜部分と凹状の非塗膜部分が隣接してなるように形成されているものである。
【考案の効果】
【０００８】  上述のように本考案によれば、酸化剤や燃料等の発熱材を使用する事なく本品を対象物に接触させると対象物固有の熱エネルギーが熱源として遠赤外線エネルギーを対象物に放射することになり保温効果が実現されるものである。また本案保温具では例えばＵＶインキ等に分散された遠赤外線物質が基材に固着形成されるので、例えば使用中の衝撃等物理的負荷により基材から剥離脱落し難くまた繰り返しの使用にも劣化し難いので使い捨てることがなく長期間使用できるので極めて経済的である。また塗膜は全面塗布ではなく凸状部分のみ塗膜形成されているので塗膜ヒビ割れを防止し乾燥を早め水分の蒸発路を形成することになりさらには塗料の削減のため工程管理上また製造コストの面からも有効であり管理維持にも特別の手間や費用を要しないものである。従って例えばインソール素材として用いた場合、緩衝性、安定性に優れた蒸れ難い保温性インソールとして極めて効果的である。【０００９】  更に本品は遠赤外線物質が固着形成された薄膜基材が接着剤あるいは粘着剤を介して積層された柔軟性、弾力性を有する多孔性素材から形成されており、遠赤外線放射層に加えて多数の微細な空隙を有する蓄熱層を構成することになる。従って素材の特性により対象物の形状に即して変形接触できるので本品を使用すべき対象を人体、動物等に限定する事なく家具、建材、玩具、雑貨に至る広範囲な製品に使用することができるものである。例えば床用敷物として使用した時、接触した人体にとって緩衝性かつ保温性を有する素材となり、安全かつ簡易であり安価でありながら保温効果の確実な保温具として簡便かつ極めて効果的である等、日常生活において簡便かつ極めて効果的である。
【実施例】
【００１０】    以下、添付図面に従って一実施例を説明する。
［第１図］によって説明すると本図は、薄膜基材上に遠赤外線物質含有の塗膜凸部が固着形成されている状態を示す断面図である。【００１１】  ［第２図］によって説明すると、本図は［第１図］の薄膜基材が粘着剤層を介して多孔質素材に積層形成された状態を示す断面図である。【００１２】  ［第３図］によって説明すると、本図は［第２図］の薄膜基材及び多孔質素材が粘着剤層を介して別途表層材に積層形成された状態を示す断面図である。【００１３】  ［第４図］によって説明すると、本図は［第１図］の薄膜基材が塗膜凸部と粘着剤層を介して多孔質素材に積層形成された状態を示す断面図である。【００１４】  ［第５図］によって説明すると、本図は［第４図］の薄膜基材及び多孔質素材が粘着剤層を介して別途表層材に積層形成された状態を示す断面図である。【００１５】  ［第６図］によって説明すると、本図は［第１図］［第２図］［第３図］の平面図である。【００１６】  ［第７図］によって説明すると、本図は［第１図］［第２図］［第３図］の別途平面図である。【００１７】  ［第８図］によって説明すると、本図は［第４図］［第５図］の平面図である。【００１８】  ［第９図］によって説明すると、本図は［第４図］［第５図］の別途平面図である。
【図面の簡単な説明】
【００１９】
【図１】本考案の薄膜基材上に塗膜が形成された状態を示す一実施例の断面図である。
【図２】本考案の他の実施例の断面図である。
【図３】本考案の更に他の実施例の断面図である。
【図４】本考案の塗膜凸部が多孔質素材に粘着した状態を示す一実施例の断面図である。
【図５】［図４］の他の実施例の断面図である。
【図６】本考案の塗膜凸部及び非塗装凹部の配置を示す一実施例の平面図である。
【図７】［図６］の他の実施例の平面図である。
【図８】［図４］［図５］の塗膜凸部及び非塗装凹部の配置を示す一実施例の平面図である。
【図９】［図４］［図５］の他の実施例の平面図である。
【符号の説明】
【００２０】１    薄膜基材
２    塗膜凸部
２’  塗膜凸部
３    非塗膜凹部
３’  非塗膜凹部
４    粘着剤層
５    多孔質素材
６    表層材
【図１】
0003211194.tif 000003
【図２】
0003211194.tif 000004
【図３】
0003211194.tif 000005
【図４】
0003211194.tif 000006
【図５】
0003211194.tif 000007
【図６】
0003211194.tif 000008
【図７】
0003211194.tif 000009
【図８】
0003211194.tif 000010
【図９】
0003211194.tif 000011